(57)【要約】【課題】簡単な構成でがたつきを防止する。【解決手段】椅子の体支持部材１をフレーム２に取り付ける椅子の体支持部材１の取付構造であって、体支持部材１とフレーム２のいずれか一方に設けられた凹部３と、体支持部材１とフレーム２のいずれか他方に設けられ、凹部３に挿入される凸部４と、凹部３に凸部４を挿入した状態で体支持部材１にフレーム２を係止する係止手段５とを備えている。係止手段５は凹部３の内面と凸部４とを互いに押し付けた状態で体支持部材１にフレーム２を係止するものであり、少なくとも凹部３の押し付け面３ａと凸部４の押し付け面４ａとのいずれか一方は係止手段５による押し付け方向に対して傾斜しており、係止手段５によって凹部３の押し付け面３ａと凸部４の押し付け面４ａとが押し付けられることで体支持部材１はフレーム２に対して押し付け方向及びその直交方向に位置固定めされる。【選択図】図２
2014083217.tif 000002
【特許請求の範囲】
【請求項１】
椅子の体支持部材をフレームに取り付ける椅子の体支持部材の取付構造において、前記体支持部材と前記フレームのいずれか一方に設けられた凹部と、前記体支持部材と前記フレームのいずれか他方に設けられ、前記凹部に挿入される凸部と、前記凹部に前記凸部を挿入した状態で前記体支持部材に前記フレームを係止する係止手段とを備え、前記係止手段は前記凹部の内面と前記凸部とを互いに押し付けた状態で前記体支持部材に前記フレームを係止するものであり、少なくとも前記凹部の押し付け面と前記凸部の押し付け面とのいずれか一方は前記係止手段による押し付け方向に対して傾斜しており、前記係止手段によって前記凹部の押し付け面と前記凸部の押し付け面とが互いに押し付けられることで前記体支持部材は前記フレームに対して前記押し付け方向及びその直交方向に位置固定されることを特徴とする椅子の体支持部材の取付構造。
【請求項２】
前記係止手段は前記体支持部材を前記フレームに止め付けるねじ状部材であり、前記係止手段がねじ込まれることで、前記凹部の押し付け面と前記凸部の押し付け面とが互いに押し付けられて、前記フレームが前記体支持部材に対して前記ねじ状部材のねじ込み方向及びその直交方向に位置固定されることを特徴とする請求項１記載の椅子の体支持部材の取付構造。
【請求項３】
前記体支持部材は背もたれの背板であり、前記フレームは前記背板を支持する背フレームであることを特徴とする請求項１又は２記載の椅子の体支持部材の取付構造。
【請求項４】
前記係止手段は前記体支持部材の底面に前記フレームを係止することを特徴とする請求項１から３のいずれか１つに記載の椅子の体支持部材の取付構造。
【請求項５】
前記フレームには止め片が設けられており、前記係止手段は前記止め片を前記体支持部材に係止することを特徴とする請求項１から４のいずれか１つに記載の椅子の体支持部材の取付構造。
【請求項６】
請求項１から５のいずれか１つに記載の椅子の体支持部材の取付構造によって前記体支持部材を前記フレームに取り付けたことを特徴とする椅子。
【発明の詳細な説明】
【技術分野】
【０００１】
本発明は、椅子の背もたれ、座、肘掛け、ヘッドレスト、フットレスト等の着座者の体を支持する体支持部材をその支持フレームに取り付ける椅子の体支持部材の取付構造およびこれを利用した椅子に関するものである。
【背景技術】
【０００２】
椅子の背もたれの取付構造として、例えば特許文献１に示すものがある。この背もたれの取付構造を図１０〜図１２に示す。背もたれ１０１の下部フレーム１０２には側桿１０３を挿入する嵌合孔１０２ｂと座部フレーム１０４に取り付ける凹状受部１０２ａが設けられている。下部フレーム１０２の嵌合孔１０２ｂに側桿１０３を挿入して背もたれ１０１を組み付けた後、凹状受部１０２ａに座部フレーム１０４の周面を当てて２本のねじ１０５で止めることで、背もたれ１０１を座部フレーム１０４に取り付けている。２本のねじ１０５は座部フレーム１０４に設けられた通孔１０７に挿入されており、座部フレーム１０４の内側から下部フレーム１０２にねじ込まれている。各ねじ１０５の先端は側桿１０３に達しており（図１２）、下部フレーム１０２に対して側桿１０３と座部フレーム１０４とを一緒に止めている。座部フレーム１０４のねじ１０５締め付け位置にはカバー１０６が嵌め込まれており、ねじ１０５及び通孔１０７を隠して外観の悪化を防止している。
【先行技術文献】
【特許文献】
【０００３】
【特許文献１】特開２００３−１３５１９４号公報
【発明の概要】
【発明が解決しようとする課題】
【０００４】
しかしながら、上述の背もたれの取付構造では、背もたれ１０１の側桿１０３を下部フレーム１０２の嵌合孔１０２ｂに単に挿入してねじ止めする構成であり、側桿１０３と下部フレーム１０２との間にクリアランスが発生して側桿１０３ががた付いてしまう。そして、このような問題は背もたれの取付構造には限られず、座等の取付構造およびこのような取付構造を利用した椅子についても同様に問題になる。
【０００５】
本発明は、簡単な構成でがたつきを防止することができる椅子の体支持部材の取付構造およびこれを利用した椅子を提供することを目的とする。
【課題を解決するための手段】
【０００６】
かかる目的を達成するために、請求項１記載の発明は、椅子の体支持部材をフレームに取り付ける椅子の体支持部材の取付構造において、体支持部材とフレームのいずれか一方に設けられた凹部と、体支持部材とフレームのいずれか他方に設けられ、凹部に挿入される凸部と、凹部に凸部を挿入した状態で体支持部材にフレームを係止する係止手段とを備え、係止手段は凹部の内面と凸部とを互いに押し付けた状態で係止するものであり、少なくとも凹部の押し付け面と凸部の押し付け面とのいずれか一方は係止手段による押し付け方向に対して傾斜しており、係止手段によって凹部の押し付け面と凸部の押し付け面とが互いに押し付けられることで体支持部材はフレームに対して押し付け方向及びその直交方向に位置固定されるものである。
【０００７】
したがって、凹部に凸部を挿入し、係止手段によって体支持部材をフレームに係止すると、凹部の押し付け面と凸部の押し付け面とが互いに押し付けられる。凹部の押し付け面と凸部の押し付け面とのいずれか一方は傾斜しているので、押し付け面は傾斜に沿って斜めに移動し、押し付ける方向とその直交方向に位置固定される。
【０００８】
また、請求項２記載の椅子の体支持部材の取付構造は、係止手段は体支持部材をフレームに止め付けるねじ状部材であり、係止手段がねじ込まれることで、凹部の押し付け面と凸部の押し付け面とが互いに押し付けられて、フレームが体支持部材に対してねじ状部材のねじ込み方向及びその直交方向に位置固定されるものである。
【０００９】
ここで、請求項３記載の椅子の体支持部材の取付構造のように、体支持部材は背もたれの背板であり、フレームは背板を支持する背フレームであっても良い。
【００１０】
また、請求項４記載の椅子の体支持部材の取付構造は、係止手段が体支持部材の底面にフレームを係止するものである。
【００１１】
また、請求項５記載の椅子の体支持部材の取付構造は、フレームには止め片が設けられており、係止手段は止め片を体支持部材に係止するものである。
【００１２】
さらに、請求項６記載の椅子は、請求項１から５のいずれか１つに記載の椅子の体支持部材の取付構造によって体支持部材をフレームに取り付けたものである。
【発明の効果】
【００１３】
請求項１記載の椅子の体支持部材の取付構造では、少なくともいずれか一方が傾斜している凹部の押し付け面と凸部の押し付け面とが互いに押し付けられているので、その押し付け方向及び当該押し付け方向の直交方向に位置固定することができる。そのため、体支持部材とフレームとの取付部分のがたつきを防止することができ、これらを強固に取り付けることができる。取り付けは、凹部に凸部を挿入し、係止手段で凹部と凸部の押し付け面同士を互いに押し付けながら係止するだけなので、その取付作業は容易である。また、構成も簡単であり部品点数が少ないので、製造コストを安く抑えることができる。
【００１４】
また、請求項２記載の椅子の体支持部材の取付構造では、係止手段としてのねじ状部材をねじ込むことで凹部と凸部の押し付け面同士を互いに押し付けることができると共に、体支持部材をフレームに係止することができるので、簡単に係止することができる。また、係止手段として一般的な汎用品をそのまま使うことができる。これらのため、製造コストをより安くすることが可能になる。
【００１５】
また、請求項３記載の椅子の体支持部材の取付構造では、背もたれの背板と背支持フレームとの取り付けに適用することができる。
【００１６】
また、請求項４記載の椅子の体支持部材の取付構造では、係止手段が体支持部材の底面にフレームを係止するので、係止手段が目立たなくなり、外観の悪化を防止することができる。また、外観を悪化させることがないので、カバー等により覆い隠す必要もない。これらのため、製造コストの増加を抑えることができる。
【００１７】
また、請求項５記載の椅子の体支持部材の取付構造では、フレームには止め片が設けられており、係止手段は止め片を体支持部材に係止するので、係止手段によって止め片を止め付けるだけで体支持部材にフレームを簡単に係止することができる。
【００１８】
さらに、請求項６記載の椅子では、請求項１から５のいずれか１つに記載の椅子の体支持部材の取付構造によって体支持部材をフレームに取り付けているので、体支持部材をフレームに簡単に且つ強固に取り付けることができると共に、取り付けに必要な部品点数が少なく製造コストを安く抑えることができる等の上記の効果を椅子について得ることができる。
【図面の簡単な説明】
【００１９】
【図１】本発明の椅子の体支持部材の取付構造の実施形態の一例を示し、体支持部材をフレームに取り付けた状態の正面図である。
【図２】図１の符号IIで示す楕円部分を一部切り欠いて示す拡大図である。
【図３】図１の体支持部材を斜め下から見た斜視図である。
【図４】図１のフレームを示し、（Ａ）は右側のフレームを斜め上から見た斜視図、（Ｂ）は左側のフレームを斜め上から見た斜視図である。
【図５】本発明の椅子の体支持部材の取付構造の他の実施形態を示し、図１の符号IIで示す楕円部分を一部切り欠いて示す拡大図である。
【図６】本発明の椅子の体支持部材の取付構造の更に他の実施形態を示し、図１の符号IIで示す楕円部分を一部切り欠いて示す拡大図である。
【図７】本発明の椅子の体支持部材の取付構造の更に他の実施形態を示し、体支持部材をフレームに取り付けた状態の平面図である。
【図８】図７の符号VIIIで示す楕円部分を一部切り欠いて示す拡大図である。
【図９】本発明の椅子の実施形態の一例を示す側面図である。
【図１０】従来の椅子の背もたれの取付構造を示す分解斜視図である。
【図１１】従来の椅子の背もたれの取付構造の要部を拡大して示す分解斜視図である。
【図１２】従来の椅子の背もたれの取付構造の要部を拡大して示す断面図である。
【発明を実施するための形態】
【００２０】
以下、本発明の構成を図面に示す形態に基づいて詳細に説明する。
【００２１】
図１〜図４に本発明の椅子の体支持部材の取付構造の第１の実施形態を、図９に本発明の椅子の実施形態をそれぞれ示す。椅子の体支持部材の取付構造（以下、単に体支持部材の取付構造という）は、体支持部材１をフレーム２に取り付けるものであって、体支持部材１とフレーム２のいずれか一方に設けられた凹部３と、体支持部材１とフレーム２のいずれか他方に設けられ、凹部３に挿入される凸部４と、凹部３に凸部４を挿入した状態で体支持部材１にフレーム２を係止する係止手段１とを備え、係止手段５は凹部３の内面と凸部４とを互いに押し付けた状態で体支持部材５にフレーム２を係止するものであり、少なくとも凹部３の押し付け面３ａと凸部４の押し付け面４ａとのいずれか一方は係止手段５による押し付け方向に対して傾斜しており、係止手段５によって凹部３の押し付け面３ａと凸部４の押し付け面４ａとが互いに押し付けられることで体支持部材１はフレーム２に対して押し付け方向及びその直交方向に位置固定されるものである。また、本発明の椅子は体支持部材の取付構造によって体支持部材１をフレーム２に取り付けたものである。
【００２２】
本実施形態では背もたれの背板６を背フレーム２に取り付ける場合を例に説明する。即ち、体支持部材１は背もたれの背板６であり、フレーム２は背板６を支持する背フレームである。ただし、背板６を背フレームに取り付ける場合に限られず、例えば、座板を座フレームに取り付ける場合、肘掛けをそのフレームに取り付ける場合、ヘッドレストをそのフレームに取り付ける場合、フットレストをそのフレームに取り付ける場合等にも適用可能である。
【００２３】
フレームは左右にそれぞれ設けられており、体支持部材１の両側に取り付けられる。両側の取付構造は左右対称になっている。本実施形態では、体支持部材１（背板６）に凹部３を設け、フレーム２に凸部４を設けているが、フレーム２に凹部３を設け、体支持部材１に凸部４を設けるようにしても良い。
【００２４】
体支持部材１を図３に示す。凹部３は体支持部材１の下側両隅にそれぞれ設けられており、側方と下方の両方向に向けて開口している。本実施形態では、前後の厚さが比較的薄い形状の体支持部材１にスリット状の凹部３が設けられている。また、体支持部材１は、その縦断面において中央が前方に凸になるように全体的に緩やかに湾曲し、その横断面において中央が後方に凸になるように全体的に緩やかに湾曲している。このような形状に合わせて凹部３が設けられている。
【００２５】
フレーム２を図４に示す。本実施形態のフレーム２は図示しない座フレームに背もたれ（体支持部材１）を取り付けるためのもので、下側半部が前方に向けて折り曲げられており、その先端部分は座フレーム取付部２ｃになっている。座フレーム取付部２ｃは座フレームの底面に例えばねじ等によって下側から取り付けられる。下側からねじを取り付けるので、ねじの露出部分があまり目立たない。また、フレーム２の体支持部材１に取り付ける部分（合わせ部分）は体支持部材１の形状に合わせて湾曲している。さらに、フレーム２の上端には肘掛けとなるフレーム９（図９）を連結するためのアーム２ｄが設けられている。
【００２６】
凸部４はフレーム２の体支持部材１に対向する内側面２ａの上部に設けられている。凸部４はフレーム２の側方と上方の両方向に向けて突出している。本実施形態では、薄板状の凸部４が設けられている。凸部４は凹部３の形状に合わせて緩やかに湾曲している。また、本実施形態のフレーム２には、係止手段５によって体支持部材１に係止される止め片２ｂが設けられている。ただし、フレーム２に止め片２ｂを設けて当該止め片２ｂを体支持部材１に係止する構成には限られない。
【００２７】
本実施形態の係止手段５は体支持部材１をフレーム２に止め付けるねじ状部材であり、体支持部材１の底面１ａにフレーム２を係止する。ここで、ねじ状部材には、ねじの他、ボルト、ビス等が含まれる。係止手段５は体支持部材１の底面１ａの凹部３近傍位置にねじ込まれている。ただし、係止手段５はねじ状部材に限られない。また、係止手段５に関しては体支持部材１にフレーム２を止めることができれば目的を達成できるので、使用するねじ状部材の本数は１本で足りる。ただし、複数本のねじ状部材を使用しても良い。
【００２８】
係止手段５は凹部３の押し付け面３ａと凸部４の押し付け面４ａとを互いに押し付ける方向にねじ込まれる。本実施形態では、係止手段５を上向きにねじ込み、体支持部材１に対してフレーム２を上昇させるので、凹部３内の天井面に凸部４が押し付けられることになる。即ち、凹部３については内面のうち天井面が押し付け面３ａとなり、凸部４については上面が押し付け面４ａとなる。
【００２９】
本実施形態では、凹部３の押し付け面３ａと凸部４の押し付け面４ａの両方を係止手段５による押し付け方向（ねじ込み方向）に対して傾斜させている。各押し付け面３ａ，４ａは、係止手段５によって互いに押し付けられた場合に凸部４を凹部３内の奥側に導く方向に傾斜している。ただし、凹部３の押し付け面３ａと凸部４の押し付け面４ａの両方を傾斜させる必要はなく、いずれか一方のみを傾斜させるようにしても良い。
【００３０】
次に、体支持部材１のフレーム２への取り付けについて説明する。体支持部材１の凹部３にフレーム２の凸部４を挿入し、凹部３の押し付け面３ａに凸部４の押し付け面４ａを対向させると共に、止め片２ｂを体支持部材１の底面１ａに対向させる。本実施形態では、体支持部材１とフレーム２の合わせ部分が湾曲しているので、凹部３に対して凸部４を下から真っ直ぐに挿入することができず、凹部３内に凸部４の上部突出部分４ｂを最初に差し込んだ後、その他の部分を差し込むようにして、横から（椅子の幅方向から）挿入する。凸部４のその他の部分を凹部３内に差し込むことで、凸部４の押し付け面４ａが凹部３の押し付け面３ａに対向する。このように、フレーム２が湾曲している場合でも凹部３に凸部４を挿入して体支持部材１をフレーム２に取り付けることが可能である。
【００３１】
そして、係止手段５によって止め片２ｂを底面１ａに係止する。ねじ状部材である係止手段５をねじ込むと、止め片２ｂが底面１ａに押し付けられ、凹部３の押し付け面３ａに凸部４の押し付け面４ａが押し付けられる。凹部３の押し付け面３ａ及び凸部４の押し付け面４ａは傾斜しており、凸部４は傾斜に沿って斜めに挿入され、押し付ける方向（上方向）とその直交方向（椅子の幅方向）に位置固定される。これにより、体支持部材１とフレーム２との取付部分のがたつきを防止することができ、これらを強固に取り付けることができる。
【００３２】
また、取り付けは、凹部３に凸部４を挿入し、係止手段５で凹部３と凸部４の押し付け面３ａ，４ａ同士を互いに押し付けながら係止するだけなので、その取付作業が容易である。また、構成も簡単で部品点数が少ないので、製造コストを安く抑えることができる。
【００３３】
また、本実施形態では、係止手段５としてのねじ状部材をねじ込むことで凹部３と凸部４の押し付け面３ａ、４ａ同士を互いに押し付けることができると共に、体支持部材１をフレーム２に係止することができるので、簡単に係止することができる。また、係止手段５（ねじ状部材）として一般的な汎用品をそのまま使うことができる。これらのため、製造コストをより安くすることが可能である。しかも、使用する係止手段５の本数が１本で足りるので、必要な部品点数が少なく、短時間で取り付けを終了させることができる。
【００３４】
また、本実施形態では、係止手段５は体支持部材１の底面１ａにフレーム２を係止するので、係止手段５が目立たなくなり、外観の悪化を防止することができる。また、外観を悪化させることがないので、カバー等により覆い隠す必要もない。これらのため、製造コストの増加を抑えることができる。
【００３５】
また、本実施形態では、フレーム２には止め片２ｂが設けられており、係止手段５によって止め片２ｂを体支持部材１に係止するようにしているので、係止手段５によって止め片２ｂを止め付けるだけで体支持部材１にフレーム２を簡単に係止することができる。
【００３６】
なお、上述の形態は本発明の好適な形態の一例ではあるがこれに限定されるものではなく本発明の要旨を逸脱しない範囲において種々変形実施可能である。
【００３７】
例えば、上述の説明では、体支持部材１に凹部３を設け、フレーム２に凸部４を設けていたが、フレーム２に凹部３を設け、体支持部材１に凸部４を設けるようにしても良い。この場合の例を図５に示す。本実施形態でも、凹部３の押し付け面３ａと凸部４の押し付け面４ａの両方を係止手段５による押し付け方向に対して傾斜させているが、いずれか一方のみを傾斜させても良い。
【００３８】
本実施形態では、係止手段５を体支持部材１の底面１ａにねじ込むことで、凸部４の押し付け面４ａに凹部３の押し付け面３ａが押し付けられ、凹部３は各押し付け面３ａ，４ａの傾斜に沿って斜めに挿入され、押し付ける方向（上方向）とその直交方向（椅子の幅方向）に位置固定される。
【００３９】
また、上述の説明では、凹部３の押し付け面３ａと凸部４の押し付け面４ａの両方を傾斜させていたが、必ずしも両方を傾斜させる必要はなく、凹部３の押し付け面３ａと凸部４の押し付け面４ａのいずれか一方のみを傾斜させても良い。例えば、凹部３の押し付け面３ａのみを傾斜させた例を図６に示す。押し付け面３ａ，４ａのいずれか一方のみを傾斜させた場合でも、凹部３の押し付け面３ａと凸部４の押し付け面４ａを互いに押し付けることで、傾斜している押し付け面に沿って相手側の押し付け面を斜めに移動させることができ、押し付ける方向とその直交方向に位置固定することができる。
【００４０】
また、上述の説明では、体支持部材１とフレーム２の合わせ部分が湾曲していたが、形状は湾曲に限られない。例えば、真っ直ぐにしても良い。この場合には、凹部３に対して凸部４を下から真っ直ぐに挿入することができる。また、凹部３に凸部４を挿入することが可能であれば、その他の形状でも良い。
【００４１】
また、上述の説明では背の取り付けを例にしていたが、必ずしも背の取り付けに限られず、座、肘掛け、ヘッドレスト、フットレスト等の取り付けに適用しても良い。座の取り付けに適用した例を図７及ぶ図８に示す。本実施形態では、体支持部材１は座板７であり、フレーム３は座板７を支持する座支持フレーム８である。
【００４２】
本実施形態では、体支持部材１（座板７）に凹部３を設け、フレーム２に凸部４を設けているが、フレーム２に凹部３を設け、体支持部材１に凸部４を設けるようにしても良い。また、本実施形態では、凹部３の押し付け面３ａと凸部４の押し付け面４ａの両方を係止手段５による押し付け方向（ねじ込み方向）に対して傾斜させているが、いずれか一方のみを傾斜させても良い。
【００４３】
体支持部材１の凹部３にフレーム２の凸部４を挿入し、凹部３の押し付け面３ａに凸部４の押し付け面４ａを対向させると共に、止め片２ｂを体支持部材１の前側面１ｂに対向させる。そして、係止手段５によって止め片２ｂを前側面１ｂに係止する。ねじ状部材である係止手段５をねじ込むと、止め片２ｂが前側面１ｂに押し付けられ、凹部３の押し付け面３ａに凸部４の押し付け面４ａが押し付けられる。凹部３の押し付け面３ａ及び凸部４の押し付け面４ａは傾斜しており、凸部４は傾斜に沿って斜めに挿入され、押し付ける方向（椅子の後ろ方向）とその直交方向（椅子の幅方向）に位置固定される。これにより、体支持部材１とフレーム２との取付部分のがたつきを防止することができ、これらを強固に取り付けることができる。
【符号の説明】
【００４４】
１  体支持部材
１ａ  体支持部材の底面
２  フレーム
２ｂ  止め片
３  凹部
３ａ  凹部の押し付け面
４  凸部
４ａ  凸部の押し付け面
５  係止手段
６  背板
【図１】
2014083217.tif 000003
【図２】
2014083217.tif 000004
【図３】
2014083217.tif 000005
【図４】
2014083217.tif 000006
【図５】
2014083217.tif 000007
【図６】
2014083217.tif 000008
【図７】
2014083217.tif 000009
【図８】
2014083217.tif 000010
【図９】
2014083217.tif 000011
【図１０】
2014083217.tif 000012
【図１１】
2014083217.tif 000013
【図１２】
2014083217.tif 000014